(57)【要約】【課題】電線の交換を容易にすることができる電線取外し工具を提供する。【解決手段】電線取外し工具６は、基部２０と、基部２０に対して回動可能に設けられた押え部４０と、基部２０及び押え部４０により外嵌され、内部に電線を保持可能な電線保持部３０と、押え部４０に挿通されたボルトと、ボルトに螺合されたナット５２と、を有し、押え部４０にはボルトの挿通領域に所定の幅方向の長さを有する空間部４９ｓが形成され、空間部４９ｓ内にナット５２が配置された電線保持具２から電線を取り外す際に用いる電線取外し工具であって、軸線方向に沿って筒状に延び、ナット５２を外嵌可能な筒状部を有し、筒状部には、軸線方向に直交する方向の長さが空間部４９ｓの幅方向の長さ以下である縮径部６７ａが形成されていることを特徴とする。【選択図】図７
0003212488.tif 000002
【実用新案登録請求の範囲】
【請求項１】
基部と、該基部に対して回動可能に設けられた押え部と、前記基部及び前記押え部により外嵌され、内部に電線を保持可能な電線保持部と、前記押え部に挿通されたボルトと、該ボルトに螺合されたナットと、を有し、前記押え部には前記ボルトの挿通領域に所定の幅方向の長さを有する空間部が形成され、該空間部内に前記ナットが配置された電線保持具から前記電線を取り外す際に用いる電線取外し工具であって、
軸線方向に沿って筒状に延び、前記ナットを外嵌可能な筒状部を有し、
該筒状部には、前記軸線方向に直交する方向の長さが前記空間部の前記幅方向の長さ以下である縮径部が形成されていることを特徴とする電線取外し工具。
【請求項２】
前記縮径部は、前記筒状部の一部が切除されて構成されていることを特徴とする請求項１に記載の電線取外し工具。
【請求項３】
基部と、金属で形成され該基部に対して回動可能に設けられた押え部と、前記基部及び前記押え部により外嵌され、樹脂で形成され内部に電線を保持可能な電線保持部と、前記押え部に挿通されたボルトと、該ボルトに螺合されたナットと、を有し、前記基部には前記ボルトを挿通可能な貫通孔が形成され、前記押え部には前記ボルトの挿通領域に所定の幅方向の長さを有する空間部が形成され、該空間部内に前記ナットが配置された電線保持具から前記電線を取り外す際に用いる電線取外し工具であって、
軸線方向に延びる軸線部と、
該軸線部の一端部に設けられ、把持可能な把持部と、
該軸線部の他端部に設けられ、前記軸線方向と直交する方向に延びる当接部と、を備え、
前記当接部は、前記押え部における前記基部から離間する回動方向の後側の面において、前記空間部の幅方向の両側に当接可能であることを特徴とする電線取外し工具。
【考案の詳細な説明】
【技術分野】
【０００１】
本考案は、電線保持具から電線を取り外す際に用いる電線取外し工具に関するものである。
【背景技術】
【０００２】
従来から、高圧電線等の電線は、地面と絶縁する必要がある。このため、電柱等の支持体に絶縁体で形成された懸垂がいしが取り付けられ、懸垂がいしに水密クランプ等のクランプ部材が設けられ、クランプ部材に電線が保持されている（下記の特許文献１参照）。
【０００３】
例えば、クランプ部材では、電線は、半筒状に形成された一対の樹脂製の半筒状部材内に挿通されている。一対の半筒状部材は複数の金属製の部材に外嵌され、複数の金属製の部材はボルト・ナットにより固定されている。電線を交換する際には、ボルト・ナットを緩めて、複数の金属製の部材どうしを分離させ、一対の半筒状部材を離間させて、電線を取り出すことができる。
【先行技術文献】
【特許文献】
【０００４】
【特許文献１】特許第２９８３８２１号公報
【考案の概要】
【考案が解決しようとする課題】
【０００５】
しかしながら、複数の金属製の部材を固定しているボルト・ナットが腐食して錆びてしまうと、ボルトがナットから外れない。このため、ドライバー等の工具で錆を落とした後でなければ、ボルトが緩まらないという問題点がある。また、ボルトを緩めることができても、金属製の部材と樹脂製の半筒状部材とが固着していまい、金属製の部材どうしを分離させることができず、クランプ部材を工具でたたいて外力を加えたりしなければ、分離させることができないという問題点がある。
【０００６】
そこで、本考案は、上記事情に鑑みてなされたものであり、電線の交換を容易にすることができる電線取外し工具を提供する。
【課題を解決するための手段】
【０００７】
上記目的を達成するために、本考案は以下の手段を採用している。
すなわち、本考案に係る電線取外し工具は、基部と、該基部に対して回動可能に設けられた押え部と、前記基部及び前記押え部により外嵌され、内部に電線を保持可能な電線保持部と、前記押え部に挿通されたボルトと、該ボルトに螺合されたナットと、を有し、前記押え部には前記ボルトの挿通領域に所定の幅方向の長さを有する空間部が形成され、該空間部内に前記ナットが配置された電線保持具から前記電線を取り外す際に用いる電線取外し工具であって、軸線方向に沿って筒状に延び、前記ナットを外嵌可能な筒状部を有し、該筒状部には、前記軸線方向と直交する方向の長さが前記空間部の前記幅方向の長さ以下である縮径部が形成されていることを特徴とする。
【０００８】
このように構成された電線取外し工具では、ナットは、押え部に挿通されたボルトに螺合されるとともに、押え部に形成された空間部内に配置されている。縮径部における軸線方向と直交する方向の長さは空間部の幅方向の長さ以下であるため、筒状部を空間部内に挿入して、筒状部でナットを外嵌することができる。筒状部でナットを外嵌してナットの回転を抑えた状態で、ボルトを緩めることができる。よって、錆等によりボルトを緩めづらいときでも、筒状部でナットを抑えて共回りを防止できる。したがって、ボルトを容易に緩めて、基部及び押え部に外嵌されていた電線保持部から電線を取り出して、電線の交換をすることができる。
【０００９】
また、本考案に係る電線取外し工具では、前記縮径部は、前記筒状部の一部が切除されて構成されていてもよい。
【００１０】
このように構成された電線取外し工具では、縮径部は筒状部の一部が切除されて構成されているため、縮径部を容易に設けることができる。
【００１１】
また、本考案に係る電線取外し工具では、基部と、金属で形成され該基部に対して回動可能に設けられた押え部と、前記基部及び前記押え部により外嵌され、樹脂で形成され内部に電線を保持可能な電線保持部と、前記押え部に挿通されたボルトと、該ボルトに螺合されたナットと、を有し、前記基部には前記ボルトを挿通可能な貫通孔が形成され、前記押え部には前記ボルトの挿通領域に所定の幅方向の長さを有する空間部が形成され、該空間部内に前記ナットが配置された電線保持具から前記電線を取り外す際に用いる電線取外し工具であって、軸線方向に延びる軸線部と、該軸線部の一端部に設けられ、把持可能な把持部と、該軸線部の他端部に設けられ、前記軸線方向と直交する方向に延びる当接部と、を備え、前記当接部は、前記押え部における前記基部から離間する回動方向の後側の面において、前記空間部の幅方向の両側に当接可能であることを特徴とする。
【００１２】
このように構成された電線取外し工具では、当接部を貫通孔に挿通して、押え部における基部から離間する回動方向の後側の面において、空間部の幅方向両側に当接部を当接させる。この状態で、把持部を握り、把持部の端部等をハンマーでたたく等して、押え部に基部から離間する回動方向の力を加える。よって、金属で形成された押え部と樹脂で形成された電線保持部とが固着してしまっていても、押え部を基部から離間する回動方向に回動させることができる。したがって、押え部を基部から離間する方向に容易に回動させて、基部及び押え部に外嵌されていた電線保持部から電線を取り出して、電線の交換をすることができる。
【考案の効果】
【００１３】
本考案に係る電線取外し工具によれば、電線の交換を容易にすることができる。
【図面の簡単な説明】
【００１４】
【図１】本考案の第一実施形態に係る電線取外し工具の使用対象となる電線保持具を示す斜視図である。
【図２】本考案の第一実施形態に係る電線取外し工具の使用対象となる電線保持具を示す断面図である。
【図３】本考案の第一実施形態に係る電線取外し工具の使用対象となる電線保持具を示す正面図である。
【図４】本考案の第一実施形態に係る電線取外し工具を示す斜視図である。
【図５】本考案の第一実施形態に係る電線取外し工具を電線保持部に装着した状態を示す斜視図である。
【図６】本考案の第一実施形態に係る電線取外し工具を電線保持部に装着した状態を示す断面図である。
【図７】本考案の第一実施形態に係る電線取外し工具を電線保持部に装着した状態を示す正面図である。
【図８】本考案の第二実施形態に係る電線取外し工具を示す斜視図である。
【図９】本考案の第二実施形態に係る電線取外し工具の使用状態を示す断面図である。
【図１０】本考案の第二実施形態に係る電線取外し工具の使用状態を示す斜視図である。
【図１１】本考案の第二実施形態の変形例に係る電線取外し工具の使用状態を示す斜視図である。
【考案を実施するための形態】
【００１５】
（第一実施形態）
本考案の第一実施形態に係る電線取外し工具について、図面を用いて説明する。
図１は、本考案の第一実施形態に係る電線取外し工具の使用対象となる電線保持具を示す斜視図である。図２は、本考案の第一実施形態に係る電線取外し工具の使用対象となる電線保持具を示す断面図である。図３は、本考案の第一実施形態に係る電線取外し工具の使用対象となる電線保持具を示す正面図である。
本実施形態に係る電線取外し工具は、水密クランプ（電線保持具）から電線を取り外す際に使用するものである。
電柱、腕金等の支持物（不図示）に、上下方向に連設された複数の懸垂がいしのうち最上端に位置する懸垂がいしが支持されている。図１に示すように、最下端に位置する懸垂がいし１Ｂ（１）は、水密クランプ２を支持している。水密クランプ２は、高圧電線等の絶縁電線Ｅを保持している。
まず、懸垂がいし１及び水密クランプ２の構成について説明する。
【００１６】
（懸垂がいし）
図１から図３に示すように、懸垂がいし１は、がいし本体１１と、ピン金具１２と、キャップ１３と、一対のキャップ金具１４と、を有している。複数の懸垂がいし１が上下方向に連設されている。
ここで、絶縁電線Ｅの延在方向をＹ方向と称し、一方側（図３の紙面右側）を＋Ｙ側と称し、他方側（図３の紙面左側）を−Ｙ側と称する。また、Ｙ方向と直交する方向且つ水平方向をＸ方向と称し、一方側（図２の紙面右側）を＋Ｘ側と称し、他方側（図２の紙面左側）を−Ｘ側と称する。
【００１７】
がいし本体１１は、陶器で形成され、絶縁体である。がいし本体１１の下面には、環状且つ同心円状に下方に突出するリブ（不図示）が複数設けられている。
【００１８】
ピン金具１２は、がいし本体１１の下端部から下方に延びている。ピン金具１２には、Ｘ方向に貫通する挿通孔１２ｈが形成されている。
【００１９】
キャップ１３は、がいし本体１１の上端部に設けられている。一対のキャップ金具１４は、キャップ１３の上端部から、所定間隔を有して上方に突出している。各キャップ金具１４には、Ｘ方向に貫通する挿通孔（不図示）が形成されている。
【００２０】
一対のキャップ金具１４の間には、上側に配置された他の懸垂がいし１のピン金具１２が配置されている。下側のキャップ金具１４の一方側の挿通孔から挿通されたボルト１８は、上側の懸垂がいし１のピン金具１２の挿通孔に挿通され、下側のキャップ金具１４の他方側の挿通孔に挿通され、ナット（不図示）に締結されている。
【００２１】
（水密クランプ）
水密クランプ２は、基体（基部）２０と、保持部材（電線保持部）３０と、押え部材（押え部）４０と、締付ボルト５１及びナット５２と、を備えている。本実施形態では、基体２０、押え部材４０、締付ボルト５１及びナット５２は金属製であり、保持部材３０は樹脂製である。
【００２２】
基体２０は、一対の取付部２１と、連結部２２と、基部本体部２８と、を有している。
【００２３】
一対の取付部２１は、Ｘ方向に所定間隔を有して配置されている。各取付部２１には、Ｘ方向に貫通する挿通孔２１ｈが形成されている。一方側の取付部２１の挿通孔２１ｈから挿通された連結ボルト２４は、最下端に位置する懸垂がいし１Ｂのピン金具１２の挿通孔１２ｈに挿通され、他方側の取付部２１の挿通孔２１ｈに挿通され、ナット２５に締結されている。連結ボルト２４には、回り止めのため割ピン２６が設けられている。連結部２２は、一対の取付部２１の下端部どうしを連結している。
【００２４】
基部本体部２８は、連結部２２に連続して下方に延びている。基部本体部２８には、基部本体部２８を貫通しＸ方向を向く貫通孔２８ｈが形成されている。貫通孔２８ｈは、上下方向に長い形状をなしている。
【００２５】
保持部材３０は、鉛直断面視半筒状に形成され、対向配置された一対の半筒状部材３１で構成されている。一対の半筒状部材３１は、Ｙ方向に延び、上下方向に対向配置されている。保持部材３０は、基体２０及び保持部材３０により外嵌されている。
【００２６】
各半筒状部材３１において、対向する側には、対向する半筒状部材３１から離間する方向に凹む凹溝３２が形成されている。対向する半筒状部材３１の間において、凹溝３２間に、絶縁電線Ｅが配置されている。
【００２７】
押え部材４０は、軸支部４１と、外嵌部４３と、傾斜壁部４４ａと、折曲壁部４４ｂと、ボルト支持部４５と、有している。
【００２８】
軸支部４１は、Ｙ方向に沿って延びている。軸支部４１には、Ｙ方向に延びる挿通孔（不図示）が形成されている。当該挿通孔には、ピン４２（図２参照）が挿通されている。つまり、押え部材４０は、ピン４２を介して、基部本体部２８に回動可能に軸支されている。
【００２９】
外嵌部４３は、半筒状部材３１の外面に沿って配置されている。傾斜壁部４４ａは、外嵌部４３から一対立設されている。各傾斜壁部４４ａは、Ｘ方向に沿って配置されている。一対の傾斜壁部４４ａは、Ｙ方向に離間して配置されている。傾斜壁部４４ａは、上方に向かうにしたがって次第にＸ方向の長さが短くなるように形成されている。
【００３０】
外嵌部４３及び一対の傾斜壁部４４ａの間には、空間部４９ｓが形成されている。
【００３１】
折曲壁部４４ｂは、各傾斜壁部４４ａの−Ｘ方向の端部から折曲されている。折曲壁部４４ｂは、Ｙ方向に沿って配置されている。
【００３２】
ボルト支持部４５は、空間部４９ｓの−Ｘ側において、一対の傾斜壁部４４ａどうしを連結している。ボルト支持部４５には、基体２０に形成された貫通孔２８ｈが向く方向に沿ってボルト孔４５ｈが形成されている。
【００３３】
座金５３が、基体２０を貫通する貫通孔２８ｈの外周面に支持されている。座金５３に挿通された締付ボルト５１は、押え部材４０のボルト孔４５ｈに挿通され、ナット５２に螺合されている。ナット５２は、正面視略正六角形状をなしている。締付ボルト５１には、回り止めのため割ピン５４が設けられている。ナット５２及び締付ボルト５１のナット５２側の部分は、押え部材４０の空間部４９ｓ内に配置されている。
【００３４】
（電線取外し工具）
次に、上記の水密クランプ２に保持された絶縁電線Ｅを水密クランプ２から取り外す際に使用されるソケット（電線取外し工具）６について説明する。
【００３５】
図４は、ソケット６を示す斜視図である。
図４に示すように、ソケット６は、軸線Ｏ１方向に延びる有底円筒状に形成されるとともに、切り欠きが形成されている。ソケット６は、底部６１と、被嵌合部６２と、筒状部６６と、を有している。
【００３６】
底部６１は、軸線Ｏ１と直交する断面が略円形状をなしている。被嵌合部６２は、底部６１の軸線Ｏ１方向の一方側の面から突出している。被嵌合部６２は、軸線Ｏ１と直交する断面が略正六角形状をなしている。被嵌合部６２には、軸線Ｏ１方向一方側の面から突出し、軸線Ｏ１と直交する断面が略円形状をなす円形状部６４が設けられている。
【００３７】
筒状部６６は、底部６１の軸線Ｏ１方向の他方側の面から突出している。筒状部６６の内面には、ナット５２に対応する略正六角形状をなしている。
【００３８】
筒状部６６の軸線方向の他方側の端部には、筒状部６６の一部が切除された、つまり厚み方向（径方向）に貫通する切欠き部６７が形成されている。切欠き部６７は、筒状部６６における対向する箇所に一対形成されている。切欠き部６７は、筒状部６６を正面視して、略矩形状をなしている。
本実施形態では、後述するように、ソケット６がナット５２を外嵌した状態で、筒状部６６における切欠き部６７の周りの縮径部（残った部分）６７ａのＹ方向の長さＬ１（図７参照）は、上記の水密クランプ２の空間部４９ｓのＹ方向の長さＬ２と略同一となっている。なお、縮径部６７ａのＹ方向の長さＬ１は、空間部４９ｓのＹ方向の長さＬ２以下となっていればよい。
【００３９】
筒状部６６には、対向する箇所に、貫通孔６６ｈが形成されている。貫通孔６６ｈには、紐６８が挿通されている。紐６８の一端部は、紐６８の他の箇所と結ばれている。紐６８の他端部には、フック６９が設けられている。フック６９は、湾曲形成された湾曲部６９ａに対して、係合片６９ｂが開閉可能に設けられている。
【００４０】
（電線取外し方法）
次に、上記のソケット６を使用して、絶縁電線Ｅを水密クランプ２から取り外す方法について説明する。
図５は、ソケット６を水密クランプ２の保持部材３０に装着した状態を示す斜視図である。図６は、ソケット６を水密クランプ２の保持部材３０に装着した状態を示す断面図である。図７は、ソケット６を水密クランプ２の保持部材３０に装着した状態を示す正面図である。
図５から図７に示すように、水密クランプ２の傾斜壁部４４ａの間に形成された空間部４９ｓに、ソケット６を挿入する。この際に、ソケット６の対向する切欠き部６７が、Ｙ方向の両側、つまり＋Ｙ側及び−Ｙ側に位置するように配置する。ソケット６の筒状部６６における切欠き部６７の周りの縮径部（残った部分）６７ａのＹ方向の長さＬ１は、空間部４９ｓのＹ方向の長さＬ２と略同一であるため、ソケット６は傾斜壁部４４ａと干渉することなく、ソケット６の内部にナット５２を嵌合する位置まで−Ｘ方向に進む。ソケット６の内部にナット５２を嵌合させた状態で、ソケット６の被嵌合部６２をラチェットスパナ等の工具（不図示）に嵌め込み、ナット５２の回転を抑えた状態で、レンチ等の工具（不図示）で締付ボルト５１を緩める。これにより、締付ボルト５１がナット５２から外れる。
次に、押え部材４０を基体２０に対して回動させて、押え部材４０を上側の半筒状部材３１から離間させる。次に、上下に対向する半筒状部材３１を互いに離間させて、絶縁電線Ｅを取り外すことができる。
【００４１】
本実施形態によれば、ナット５２は、押え部材４０に挿通された締付ボルト５１に螺合されるとともに、押え部材４０に形成された空間部４９ｓ内に配置されている。縮径部６７ａにおける軸線Ｏ１方向と直交する方向の長さＬ１は空間部４９ｓのＹ方向の長さＬ２と略同一であるため、筒状部６６を空間部４９ｓ内に挿入して、筒状部６６にナット５２を外嵌することができる。筒状部６６でナット５２を外嵌してナット５２の回転を抑えた状態で、締付ボルト５１を緩めることができる。よって、錆等により締付ボルト５１を緩めづらいときでも、筒状部６６でナット５２を抑えて共回りを防止できる。したがって、締付ボルト５１を容易に緩めて、基体２０及び押え部材４０に外嵌されていた保持部材３０から絶縁電線Ｅを取り出して、絶縁電線Ｅの交換をすることができる。
【００４２】
また、縮径部６７ａは筒状部６６の一部を切除して、厚み方向に貫通するように形成すればよいため、縮径部６７ａを容易に設けることができる。
【００４３】
（第二実施形態）
次に、本考案の第二実施形態に係る電線取外し工具について、主に図８から図１１を用いて説明する。
以下の実施形態及び変形例において、前述した実施形態で用いた部材と同一の部材には同一の符号を付して、その説明を省略する。
図８は、本考案の第二実施形態に係る電線取外し工具を示す斜視図である。
図８に示すように、本実施形態に係る打撃金具（電線取外し工具）７は、把持部７１と、被打撃部７２と、延出部（軸線部）７３と、当接部７４と、を有している。
【００４４】
把持部７１は、軸線Ｏ２方向に延び、円柱状をなしている。被打撃部７２は、把持部７１の一端部に設けられている。被打撃部７２は、軸線Ｏ２方向と直交する端面が円形状をなしている。延出部７３は、把持部７１の他端部から、軸線Ｏ２方向に延びている。当接部７４は、延出部７３の端部に設けられている。当接部７４は、軸線Ｏ２方向と直交する方向に延びている。
【００４５】
次に、上記の打撃金具７を使用して、絶縁電線Ｅを水密クランプ２から取り外す方法について説明する。
図９は、打撃金具７の使用状態を示す断面図である。
図９に示すように、締付ボルト５１及びナット５２を取り外した後に、水密クランプ２の貫通孔２８ｈの−Ｘ側から打撃金具７を入れる。この際に、当接部７４の幅方向（軸線Ｏ２と直交する方向）の長さが貫通孔２８ｈのＹ方向の長さよりも長い場合には、当接部７４の幅方向を上下方向に沿わせて（図９に示す二点鎖線の状態にして）、貫通孔２８ｈに挿通させる。次に、当接部７４を、水密クランプ２の押え部材４０の折曲壁部４４ｂの−Ｘ側の面（基体２０から離間する回動方向の後側の面）４４ｃに当接させる。この際に、当接部７４の幅方向がＹ方向（図３参照）を向くようにして、当接部７４が折曲壁部４４ｂと当接する面積を大きく確保する。つまり。当接部７４は、空間部４９ｓのＹ方向の両側で、折曲壁部４４ｂの面４４ｃに当接している。
【００４６】
図１０は、打撃金具７の使用状態を示す斜視図である。
図１０に示すように、打撃金具７の把持部７１を把持し、被打撃部７２をハンマー等の工具８０でたたく。打撃金具７から水密クランプ２の押え部材４０に力が伝達され、押え部材４０が基体２０から外れて、ピン４２を中心に、基体２０から離間する方向に回動する。次に、対向する半筒状部材３１どうしを離間させて、絶縁電線Ｅを取り外すことができる。
【００４７】
本実施形態によれば、当接部７４を、貫通孔２８ｈに挿通して、押え部材４０の折曲壁部４４ｂの面４ｃに当接させる。この状態で、把持部７１を握り、把持部７１の被打撃部７２を工具８０でたたいて、押え部材４０に基体２０から離間する回動方向の力を加える。よって、金属で形成された押え部材４０と樹脂で形成された保持部材３０とが固着してしまっていても、押え部材４０を基体２０から離間する方向に回動させることができる。したがって、押え部材４０を基体２０から離間する方向に容易に回動させて、基体２０及び押え部材４０に外嵌されていた保持部材３０から絶縁電線Ｅを取り出して、絶縁電線Ｅの交換をすることができる。
【００４８】
（変形例）
図１１は、本考案の第二実施形態の変形例に係る電線取外し工具の使用状態を示す斜視図である。
図１１に示すように、打撃金具７の端部には、被打撃部７２が設けられておらず、図４に示すソケット６の被嵌合部６２（図４参照。以下同じ。）が嵌合可能な嵌合穴（不図示）が設けられていてもよい。打撃金具７の嵌合穴にソケット６の被嵌合部６２を嵌合させ、ソケット６の円筒状の筒状部６６内にボルト８１を配置する。ボルト８１の頭部８２をハンマー等の工具８０でたたいてもよい。
本変形例によれば、電力の大きさにより、懸垂がいし１のがいし本体１１Ａの径方向の長さが長くても、打撃金具７にソケット６を接続し、ソケット６にボルト８１を接続することで、工具８０で打撃する位置をがいし本体１１の端部１１ｂから離間させることができる。よって、打撃金具７で打撃する際に、打撃金具７とがいし本体１１とが干渉することがない。
【００４９】
なお、上述した実施の形態において示した組立手順、あるいは各構成部材の諸形状や組み合わせ等は一例であって、本考案の主旨から逸脱しない範囲において設計要求等に基づき種々変更可能である。
【００５０】
例えば、上記に示す第一実施形態では、ソケット６の縮径部６７ａは筒状部６６の径方向に貫通するように形成されているが、本考案はこれに限られない。縮径部は、筒状部６６を貫通するのではなく、筒状部６６の厚みを薄くするように形成してもよい。
【符号の説明】
【００５１】
１…懸垂がいし
２…水密クランプ（電線保持具）
６…ソケット（電線取外し工具）
７…打撃金具（電線取外し工具）
２０…基体（基部）
２８ｈ…貫通孔
３０…保持部材（電線保持部）
３１…半筒状部材
４０…押え部材（押え部）
４１…軸支部
４２…ピン
４３…外嵌部
４４ａ…傾斜壁部
４５…ボルト支持部
４５ｈ…ボルト孔
４９ｓ…空間部
５１…締付ボルト
５２…ナット
６１…底部
６２…被嵌合部
６６…筒状部
６７…切欠き部
６７ａ…縮径部
７１…把持部
７２…被打撃部
７３…延出部（軸線部）
７４…当接部
Ｅ…絶縁電線
【図１】
0003212488.tif 000003
【図２】
0003212488.tif 000004
【図３】
0003212488.tif 000005
【図４】
0003212488.tif 000006
【図５】
0003212488.tif 000007
【図６】
0003212488.tif 000008
【図７】
0003212488.tif 000009
【図８】
0003212488.tif 000010
【図９】
0003212488.tif 000011
【図１０】
0003212488.tif 000012
【図１１】
0003212488.tif 000013